(57)【要約】  この発明に係る施設検索装置は、施設に関する情報である施設情報を記憶する施設情報記憶部と、追加の施設情報を記憶する追加情報記憶部と、施設情報記憶部に記憶されている施設情報と追加情報記憶部に記憶されている追加の施設情報とから施設を検索する施設検索部と、施設検索部で複数の施設が検索された場合に、各施設の施設情報に含まれる識別子に基づき施設の同一性を判定する同一性判定部と、施設検索部により検索された施設のうち同一性判定部により同一と判定された施設の施設情報を合成する施設情報合成部と、施設検索部により検索された施設または施設情報合成部により合成された施設を表示する画像を生成する表示画像生成部と、表示画像生成部により生成された画像を表示する表示部を備えている。
2011013177.tif 000002
【特許請求の範囲】
【請求項１】
施設に関する情報である施設情報を記憶する施設情報記憶部と、
追加の施設情報を記憶する追加情報記憶部と、
前記施設情報記憶部に記憶されている施設情報と前記追加情報記憶部に記憶されている追加の施設情報とから施設を検索する施設検索部と、
前記施設検索部で複数の施設が検索された場合に、各施設の施設情報に含まれる識別子に基づき施設の同一性を判定する同一性判定部と、
前記施設検索部により検索された施設のうち前記同一性判定部により同一と判定された施設の施設情報を合成する施設情報合成部と、
前記施設検索部により検索された施設または前記施設情報合成部により合成された施設を表示する画像を生成する表示画像生成部と、
前記表示画像生成部により生成された画像を表示する表示部
とを備えた施設検索装置。
【請求項２】
同一性判定部は、施設情報に含まれる識別子以外の情報から各施設の類似度を算出し、該算出した類似度が一定値以上の場合に同一施設であると判定する類似度判定部
を備えたことを特徴とする請求項１記載の施設検索装置。
【請求項３】
類似度判定部は、施設名、住所、電話番号、座標またはジャンルの少なくとも１つに基づき類似度を算出する
ことを特徴とする請求項２記載の施設検索装置。
【請求項４】
表示画像生成部は、施設情報合成部によって合成された施設情報によって示される施設と合成されない施設情報によって示される他の施設とが重複部分を有する場合は、前後関係を変更した画像を生成する
ことを特徴とする請求項１記載の施設検索装置。
【請求項５】
表示画像生成部は、施設情報合成部によって合成された施設情報によって示される施設を強調表示する
ことを特徴とする請求項１記載の施設検索装置。
【請求項６】
表示画像生成部は、施設情報合成部によって合成された施設情報によって示される施設に対するマークの付加、文字の大きさの変更、色調の変更または明るさの変更の少なくとも１つにより強調表示を行う
ことを特徴とする請求項５記載の施設検索装置。
【請求項７】
表示画像生成部は、同一性判定部で異なる施設であると判定された施設が一定範囲内に存在する場合、追加情報記憶部への追加日時が新しい施設情報による施設を、古い施設情報による施設より前面に表示する
ことを特徴とする請求項１記載の施設検索装置。
【請求項８】
表示画像生成部は、前面に表示する施設を強調表示する
ことを特徴とする請求項７記載の施設検索装置。
【請求項９】
施設検索部は、施設情報記憶部に記憶されている施設情報と外部の情報源に保持されている追加の施設情報とから施設を検索する
ことを特徴とする請求項１記載の施設検索装置。
【請求項１０】
追加の施設情報を保持する外部の情報源は、携帯電話である
ことを特徴とする請求項９記載の施設検索装置。
【請求項１１】
追加の施設情報を保持する外部の情報源は、ネットワークを介して接続されたサーバである
ことを特徴とする請求項９記載の施設検索装置。
【請求項１２】
施設情報を記憶する施設情報記憶部と追加の施設情報を記憶する追加情報記憶部とは単一の情報記憶部から成り、
施設検索部は、前記情報記憶部に記憶されている施設情報と追加の施設情報とから施設を検索する
ことを特徴とする請求項１記載の施設検索装置。
【請求項１３】
同一性判定部の判定結果および施設情報合成部の合成結果とを記憶する合成結果記憶部を備え、
同一性判定部は、施設検索部で検索された複数の施設の同一性の判定をする前記合成結果記憶部に記憶されている判定結果を使用し、
施設情報合成部は、前記同一性判定部により同一と判定された施設の施設情報を合成する前記合成結果記憶部に記憶されている合成結果を使用する
ことを特徴とする請求項１記載の施設検索装置。
【発明の詳細な説明】
【技術分野】
【０００１】
この発明は、例えばナビゲーション装置などに適用されて施設を検索する施設検索装置に関する。
【背景技術】
【０００２】
カーナビゲーションシステムでは、地図データベースに保存されている施設情報が日時の経過に連れて古くなり、現在の状況と一致しなくなるという問題がある。一方、インターネット上には、施設に関する施設情報（以下、「ＰＯＩ；Point Of Interest」という場合もある）を含む様々な情報が存在しており、パーソナルコンピュータなどを用いてその情報を簡単に取得できる状況にある。この状況から、インターネットから収集したＰＯＩをカーナビゲーションシステムに追加して利用したいという使用者の要望がある。【０００３】
地図データベースは、大容量であって、しかも複雑な構造を有することが多く、更新には多大な時間と費用を要する。このため、使用者がインターネットなどから取得したＰＯＩ（以下、「追加ＰＯＩ」という）を用いて地図データベースを頻繁に更新するのは現実的ではない。【０００４】
地図データベースの簡単な更新方法として、地図データベース以外に、追加ＰＯＩのみを保存する追加データベースを用意し、施設検索時には、これら地図データベースおよび追加データベースを同時に検索し、検索結果を統合して表示することにより、地図データベースを更新した場合と同様の効果が得られる方法が挙げられる。【０００５】
なお、一般的な地図データベースの更新に応じて更新情報を表示する技術として、特許文献１は、古い地図情報を更新した場合は、更新された情報が容易にユーザに伝わるようにしたナビゲーション装置を開示している。このナビゲーション装置は、固定記憶メディアに地図データを記録した地図データベースと、地図データベースから地図データを読み出す地図データ読出部と、自車位置を検出し、ユーザが指定した目的地までの適切な経路を計算し、経路に従って目的地までの案内を行うナビゲーション部と、外部から地図情報を取得する地図情報取得部と、地図情報取得部によって取得された地図情報を用いて地図データベースを更新する地図情報更新部とを備え、ナビゲーション部は差分データ検出部で検出されたデータを強調表示する。【０００６】
また、特許文献２は、地図データの更新による新たな施設の情報の有効活用を促すことを可能とした施設検索装置を開示している。この施設検索装置において、カーナビゲーション装置は、制御部およびＨＤＤがハードディスクに記憶された施設情報の変更、および、ハードディスクへの新たな施設情報の追加の少なくともいずれかを行い、制御部が、施設検索時の入力情報に基づいて、ハードディスクにより記憶された施設情報を検索し、制御部および施設描画リストが、その検索結果として得られた施設情報について、追加変更された施設情報を、他の施設情報とは区別してディスプレイに表示させる。
【先行技術文献】
【特許文献】
【０００７】
【特許文献１】特開２００２−１８８９２６号公報
【特許文献２】特開２００８−１３４３０８号公報
【０００８】
しかしながら、上述した従来の追加データベースを用いた地図データベースの簡単な更新方法では、検索結果を単純に表示すると、本来同一であるＰＯＩが別々のＰＯＩとして重複して表示される場合があり、使用者にとって分かりづらいという問題がある。【０００９】
この発明は、上述した問題を解消するためになされたものであり、その課題は、重複するＰＯＩが存在してもユーザが認識しやすいように表示できる施設検索装置を提供することにある。
【発明の概要】
【００１０】
この発明に係る施設検索装置は、施設に関する情報である施設情報を記憶する施設情報記憶部と、追加の施設情報を記憶する追加情報記憶部と、施設情報記憶部に記憶されている施設情報と追加情報記憶部に記憶されている追加の施設情報とから施設を検索する施設検索部と、施設検索部で複数の施設が検索された場合に、各施設の施設情報に含まれる識別子に基づき施設の同一性を判定する同一性判定部と、施設検索部により検索された施設のうち同一性判定部により同一と判定された施設の施設情報を合成する施設情報合成部と、施設検索部により検索された施設または施設情報合成部により合成された施設を表示する画像を生成する表示画像生成部と、表示画像生成部により生成された画像を表示する表示部を備えている。
【００１１】
この発明によれば、施設情報記憶部と追加情報記憶部との両方を検索して検索結果である施設情報を表示する際に、同一性判定により、施設情報記憶部と追加情報記憶部とに存在する同一施設を合成して表示するように構成したので、施設が重複して表示されることを防ぐことができる。
【図面の簡単な説明】
【００１２】
【図１】この発明の実施の形態１に係る施設検索装置の構成を示すブロック図である。
【図２】この発明の実施の形態１に係る施設検索装置で使用されるＰＯＩの構成を示す図である。
【図３】この発明の実施の形態１に係る施設検索装置で使用される追加ＰＯＩの構成を示す図である。
【図４】この発明の実施の形態１に係る施設検索装置で行われる施設検索の結果として得られるリストの例を示す図である。
【図５】この発明の実施の形態１に係る施設検索装置で行われる施設情報合成の結果として得られる結果を示す図である。
【図６】この発明の実施の形態１に係る施設検索装置で生成される画像の例を示す図である。
【図７】この発明の実施の形態１に係る施設検索装置の動作を、施設検索処理を中心に示すフローチャートである。
【図８】この発明の実施の形態１の変形例に係る施設検索装置の構成を示すブロック図である。
【図９】この発明の実施の形態２に係る施設検索装置の動作を説明する図である。
【図１０】この発明の実施の形態２に係る施設検索装置の動作を、施設検索処理を中心に示すフローチャートである。
【図１１】この発明の実施の形態３に係る施設検索装置の構成を示すブロック図である。
【図１２】この発明の実施の形態４に係る施設検索装置の構成を示すブロック図である。
【図１３】この発明の実施の形態５に係る施設検索装置の構成を示すブロック図である。
【発明を実施するための形態】
【００１３】
以下、この発明の実施の形態を、図面を参照しながら詳細に説明する。
実施の形態１．
図１は、この発明の実施の形態１に係る施設検索装置の構成を示すブロック図である。なお、以下においては、この施設検索装置は、カーナビゲーションシステム上で実現されているものとして説明する。
【００１４】
実施の形態１に係る施設検索装置は、施設情報記憶部１１、追加情報記憶部１２、施設検索部１３、同一性判定部１４、施設情報合成部１５、表示画像生成部１６および表示部１７を備えている。
【００１５】
施設情報記憶部１１は、カーナビゲーションシステムで一般に使用されている地図データベースを記憶している。この地図データベースに含まれるＰＯＩは、図２に示すように、識別子、施設名、住所、電話番号および座標などの属性情報を含む。この施設情報記憶部１１に記憶されている施設情報は、施設検索部１３によって参照される。
【００１６】
追加情報記憶部１２は、使用者がインターネットなどの車外から取得した情報（追加ＰＯＩ）を記憶する。この追加情報記憶部１２に記憶する追加ＰＯＩは、定期的に車外から取得するように構成することもできるし、施設検索の必要に応じて（ユーザの指示を含む）車外から取得するように構成することもできる。
【００１７】
この追加情報記憶部１２に記憶されている追加ＰＯＩは、図３に示すように、施設情報記憶部１１に記憶されているＰＯＩが有する属性情報以外に、追加日時および削除フラグを有する。削除フラグが「１」であるＰＯＩは、そのＰＯＩと同一のＰＯＩであって、追加情報記憶部１２に存在するＰＯＩが削除されたことを意味する。また、この削除フラグは、施設情報記憶部１１に存在する同一のＰＯＩの削除にも使用する。また、追加情報記憶部１２に記憶するＰＯＩは、口コミ情報または施設利用料金といった、従来のカーナビゲーションシステムの地図データベースでは扱われていない拡張属性を含むように構成することもできる。なお、図３において、施設名が三田ラーメンであるＰＯＩが２つ存在するのは、更新（この例では電話番号の更新）がなされたことを意味する。
【００１８】
施設検索部１３は、施設情報記憶部１１および追加情報記憶部１２の双方からＰＯＩを検索し、検索により得られた結果を統合する。以後、統合後の検索結果を単に「検索結果」と呼ぶ。例えば、施設情報記憶部１１には図２に示すＰＯＩが記憶されており、追加情報記憶部１２には図３に示すＰＯＩが記憶されている状態で、現在地（１３５．５０，３５．５０）の周辺の施設検索を行った場合、検索結果として図４に示すようなリストが得られる。図４中のＰＯＩは、現在地からの距離順に並んでおり、上側の行に示されたＰＯＩほど現在地に近い。この施設検索部１３において得られた検索結果は、同一性判定部１４に送られる。
【００１９】
同一性判定部１４は、施設検索部１３から送られてくる検索結果に基づき、識別子を用いて同一であるＰＯＩを判定する。図４に示す例では、３つの三田ラーメン、２つの兵庫ラーメンがそれぞれ同一のＰＯＩであると判定される。これにより、図４に示した検索結果をそのまま表示すると、同一のＰＯＩが重複して表示されるため、使用者にとって分かりづらいという問題が生じる。この同一性判定部１４における判定結果は、施設情報合成部１５および表示画像生成部１６に送られる。
【００２０】
施設情報合成部１５は、同一性判定部１４において同一であると判定された複数のＰＯＩを１つのＰＯＩに合成する。この場合、施設情報合成部１５は、ＰＯＩの追加日時を参照し、最も新しい属性値を、合成後のＰＯＩの属性値とする。図５は、図４に示された同一のＰＯＩを合成した結果を示している。合成後においては、施設名が三田ラーメンであるＰＯＩでは、施設名、住所および電話番号の値としては、追加日時「２００９０５２０」のＰＯＩの属性値が使用される。また、追加日時「２００９０５２０」のＰＯＩは座標情報を持っていないので、次に新しい追加日時「２００９０４２０」のＰＯＩの座標情報が合成後のＰＯＩの属性値として使用される。
【００２１】
表示画像生成部１６は、図４に示す施設検索部１３の検索結果のリストと、図５に示す施設情報合成部１５の合成結果を用いて、表示部１７の画面に表示する画像を生成する。この表示画像生成部１６で生成される画像は、大きく分けて、図６（ａ）に示すような地図画像と、図６（ｂ）に示すようなＰＯＩリスト画像である。表示画像生成部１６で生成された画像は、画像データとして表示部１７に送られる。
【００２２】
なお、この表示画像生成部１６は、施設情報合成部１５によって合成された施設情報によって示される施設と合成されない施設情報によって示される他の施設とが重複部分を有する場合は、表示位置の前後関係を変更した画像（例えば、合成された施設情報によって示される施設を合成されない施設情報によって示される施設の前面に配置した画像）を生成するように構成できる。つまり、表示画像生成部１６は、追加情報記憶部１２に記憶された施設情報によって、施設情報記憶部１１に記憶されている既存の施設が更新された場合は、そのＰＯＩを周囲のＰＯＩより前面に表示するように構成することができ、また、削除フラグが「１」であるＰＯＩは周囲のＰＯＩより後面に表示するように構成できる。この構成によれば、新しく利用可能なＰＯＩを強調表示してユーザに提示することができる。
【００２３】
また、表示画像生成部１６は、施設情報合成部１５によって合成された施設情報によって示される施設に、その旨を表すマークを付加して強調表示するように構成できる。具体的には、表示画像生成部１６は、図６に示すように、合成後のＰＯＩに更新された旨を示すマークを付加して強調表示し、削除フラグが「１」であるＰＯＩに関しては、削除マークを付加するように構成できる。また、削除フラグが「１」のＰＯＩについては、ＰＯＩそのものを表示しないように構成することもできる。なお、強調表示の方法としては、ＰＯＩを拡大したり、色調を変化させたり、明るさを変化させたりする方法を用いることもできる。
【００２４】
表示部１７は、例えばＬＣＤ（Liquid Crystal Display）から構成されており、表示画像生成部１６から送られてくる画像データに基づき画像を表示する。
【００２５】
次に、上記のように構成される、この発明の実施の形態１に係る施設検索装置の動作を、施設検索処理を中心に、図７に示すフローチャートを参照しながら説明する。
【００２６】
使用者の検索要求に応答して施設検索処理が開始されると、まず、施設検索が行われる（ステップＳＴ１１）。すなわち、施設検索部１３は、施設情報記憶部１１および追加情報記憶部１２の双方を検索し、検索結果を同一性判定部１４に送る。
【００２７】
次いで、検索結果の中から同一である施設が判定・抽出される（ステップＳＴ１２）。すなわち、同一性判定部１４は、施設検索部１３から送られてくる検索結果から、識別子が同一である施設を判定して抽出する。
【００２８】
次いで、同一である施設が存在するかどうかが調べられる（ステップＳＴ１３）。すなわち、同一性判定部１４は、ステップＳＴ１２で抽出した施設に同一である施設が存在するかどうかを調べる。このステップＳＴ１３において、同一である施設が存在しないことが判断されると、シーケンスはステップＳＴ１５に進む。
【００２９】
一方、ステップＳＴ１３において、同一である施設が存在することが判断されると、同一である施設が合成される（ステップＳＴ１４）。すなわち、同一性判定部１４は、同一である施設が存在することを判定した場合は、同一である施設の施設情報を施設情報合成部１５に送り、施設情報合成部１５は、同一性判定部１４において同一のＰＯＩであると判定された複数の施設を１つのＰＯＩに合成する。その後、シーケンスはステップＳＴ１５に進む。
【００３０】
ステップＳＴ１５においては、表示画像生成処理が実行される。すなわち、表示画像生成部１６は、ステップＳＴ１１において検索結果として得られた施設のうち、同一である施設が存在しない施設と、ステップＳＴ１４で合成された施設に基づき画像を生成し、画像データとして表示部１７に送る。表示部１７は、表示画像生成部１６から送られてくる画像データに基づき画像を表示する。その後、施設検索処理は終了する。
【００３１】
以上説明したように、この発明の実施の形態１に係る施設検索装置によれば、施設情報記憶部１１と追加情報記憶部１２との両方を検索して検索結果である施設情報を表示する際に、同一性判定により、施設情報記憶部１１と追加情報記憶部１２とに存在する同一施設を合成して表示するように構成したので、施設が重複して表示されることを防ぐことができる。その結果、重複する施設（ＰＯＩ）が存在する場合であってもユーザが認識しやすいように表示できる。
【００３２】
なお、上述した実施の形態１に係る施設検索装置は、以下のように変形できる。すなわち、同一性判定部１４は、図８に示すように、その内部に類似度判定部２１を備えて構成できる。類似度判定部２１は、施設情報に含まれる識別子以外の情報、例えば施設名、住所、電話番号、座標またはジャンルの少なくとも１つに基づき類似度を算出し、該算出した類似度が一定値以上の場合に同一施設であると判定する。
【００３３】
類似度の算出にあたっては、施設名については、周知の技術である文字列の一致度に基づき類似度を求める。住所については、住所を表す文字列の先頭からの一致度に基づき類似度を求める。電話番号については、先頭からの番号の一致度に基づき類似度を求める。座標については、ＰＯＩの座標系が異なる場合、例えば世界測地系を使用しているＰＯＩと日本測地系を使用しているＰＯＩが存在する場合に距離が所定範囲内であるか否かにより類似度を求める。ジャンルについては、施設情報記憶部１１に格納されているＰＯＩのジャンルと追加情報記憶部１２に格納されている追加ＰＯＩのジャンルとが一致していることが前提であり、これが規定内のものであれば類似度を求める。
【００３４】
この実施の形態１の変形例に係る施設検索装置によれば、使用する地図・施設情報データベースが異なり、識別子などで同一性を判定できない場合であっても、座標または住所といった施設の基本的な情報から施設の同一性を判定できるので、同一施設が重複して表示されることを防ぐことができる。
【００３５】
また、この発明の同一性判定部１４における同一性の判定には、種々の方法を用いることができる。例えば、住所、施設名などの各属性の類似度を判定し、その合計値が一定以上であれば同一ＰＯＩであると判定するように構成できる。
【００３６】
同様に、施設検索部１３における検索結果の統合についても、種々の方向を用いることができる。例えば、データベースの基本的な演算であるユニオン（統合）を用いて検索結果を統合するように構成できる。
【００３７】
実施の形態２．
ＰＯＩの同一性の判定に識別子を使用できない場合、本来は同一であるはずのＰＯＩが、異なるＰＯＩと誤って判定される可能性がある。例えば、カーナビゲーションシステムの既存のデータベースではラーメン屋として登録されているＰＯＩが、店内改装またはメニュー変更などの理由によってレストランとして追加データベースに登録された場合、施設ジヤンルが異なるため、同一性判定部１４によって別のＰＯＩであると判定される可能性がある。この場合、別のＰＯＩとして表示すると、図９（ａ）に示すように、２つのＰＯＩのマークが重ねて表示され、ユーザに最新情報（そのＰＯＩがレストランであること）が伝わりにくい。
【００３８】
このような状態を回避するために、実施の形態２に係る施設検索装置では、図９（ｂ）に示すように、レストランとして登録されているＰＯＩを、ラーメン屋として登録されているＰＯＩより前面に表示することにより、新しい情報を優先してユーザに提示する。また、前面に表示することに加えて強調表示を行うことにより、新しい情報をより強調してユーザに提示する。
【００３９】
この実施の形態２に係る施設検索装置の構成は、図１に示した実施の形態１に係る施設検索装置の構成と同じである。
【００４０】
次に、この発明の実施の形態２に係る施設検索装置の動作を説明する。実施の形態２に係る施設検索装置の動作は、図７に示した実施の形態１に係る施設検索装置の動作を示すフローチャートのステップＳＴ１５の表示画像生成処理を、図１０に示すフローチャートの処理に置き換えたものである。以下においては、実施の形態１に係る施設検索装置の動作と異なる部分を中心に説明する。なお、図１０のフローチャートに示す処理は、表示画像生成部１６によって実行される。また、検索結果のＰＯＩ（合成したＰＯＩを含む）は距離順でソートされた上で検索結果リストに格納されているものとする。さらに、表示リストは、ＰＯＩを表示する順に格納するリストであり、処理の開始時においては、表示リストは空であるものとする。
【００４１】
表示画像生成処理が開始されると、まず、検索結果リストにＰＯＩが残っているかどうかが調べられる（ステップＳＴ２１）。このステップＳＴ２１において、検索結果リストにＰＯＩが残っていることが判断されると、次いで、検索結果リストの一番上のＰＯＩが取り出される（ステップＳＴ２２）。すなわち、現在地に最も近いＰＯＩが取り出される。
【００４２】
次いで、取り出されたＰＯＩの一定範囲内に同一でないＰＯＩが存在するかどうかが調べられる（ステップＳＴ２３）。すなわち、ＰＯＩの座標を調べることにより、ステップＳＴ２２で取り出されたＰＯＩから一定範囲内に同一でないＰＯＩが存在するかどうかが調べられる。ここで、一定範囲としては、ＰＯＩ情報を提供する情報源の差異によって生じる誤差または測地系変換によって生じる誤差を考慮し、これら誤差の範囲を一定範囲とすることもできる。
【００４３】
このステップＳＴ２３において、取り出されたＰＯＩの一定範囲内に同一でないＰＯＩが存在することが判断されると、次いで、一定範囲内に存在するＰＯＩが全て取り出される。すなわち、ステップＳＴ２２で取り出されたＰＯＩから一定範囲内に存在するＰＯＩの全てが検索結果リストから取り出される。
【００４４】
次いで、ＰＯＩが追加日時でソートされる（ステップＳＴ２５）。すなわち、ステップＳＴ２２で取り出されたＰＯＩおよびステップＳＴ２４で取り出されたＰＯＩが追加日時の順にソートされる。
【００４５】
次いで、ソート後のＰＯＩが表示リストに追加される（ステップＳＴ２６）。すなわち、ステップＳＴ２５でソートされたＰＯＩが、順序を保ったまま表示リストの末尾に追加される。その後、シーケンスはステップＳＴ２１に戻り、上述した処理が繰り返し実行される。
【００４６】
上記ステップＳＴ２３において、取り出されたＰＯＩの一定範囲内に同一でないＰＯＩが存在しないことが判断されると、次いで、取り出されたＰＯＩが表示リストに追加される（ステップＳＴ２７）。すなわち、ステップＳＴ２２で取り出されたＰＯＩが表示リストの末尾に追加される。その後、シーケンスはステップＳＴ２１に戻り、上述した処理が繰り返し実行される。
【００４７】
上記ステップＳＴ２１において、検索結果リストにＰＯＩが残っていないことが判断されると、次いで、表示リストを元に表示画像が生成される（ステップＳＴ２８）。この場合、地図画面に表示するＰＯＩマークの順序は表示リストの順序に従い、表示リストの先頭のＰＯＩが画面の最前面になるように生成される。その後、表示画像生成処理は終了する。
【００４８】
以上説明したように、この発明の実施の形態２に係る施設検索装置によれば、本来は同一施設であるが、同一性判定で異なる施設と判定されてしまった場合であっても、新しい施設情報による施設が前面に表示されるので、重複する施設を分かり易く表示することができる。
【００４９】
なお、表示画像生成部１６は、前面に表示する追加ＰＯＩ（施設）に、更新を表すマークを付加して強調表示するように構成できる。強調表示の方法としては、前面に表示する追加ＰＯＩ（施設）に対するマークの付加、文字の大きさの変更、色調の変更または明るさの変更の少なくとも１つを用いることができる。この構成によれば、新しい施設を強調表示されるので、重複する施設をさらに分かりやすく表示することができる。
【００５０】
実施の形態３．
この発明の実施の形態３に係る施設検索装置は、追加の施設情報をカーナビゲーションシステムの外部から取得するようにしたものである。
【００５１】
図１１は、実施の形態３に係る施設検索装置の構成を示すブロック図である。この施設検索装置は、図１に示した実施の形態１に係る施設検索装置から追加情報記憶部１２を除去するとともに、追加ＰＯＩを外部の情報源３１から直接に取得するようにしたものである。外部の情報源３１としては、車内に持ち込まれた携帯電話、または、例えばインターネットなどのネットワークに接続されたサーバを用いることができる。
【００５２】
この構成において、施設検索部１３は、施設情報記憶部１１および外部の情報源３１の双方から施設を検索し、検索により得られた結果を統合する。外部の情報源３１から施設を検索する場合は、施設検索部１３は、外部の情報源３１に対して、地域の指定を含む検索条件を伴った施設情報取得要求を送る。これにより、外部の情報源３１から、施設情報記憶部１１に記憶されている施設情報とは完全に一致しないフォーマットを有する可能性がある追加の施設情報が得られる。なお、図１１では、施設検索部１３は、１つの外部の情報源３１から追加の施設情報を取得する構成を示しているが、複数の外部の情報源から追加の施設情報を取得するように構成することもできる。
【００５３】
この実施の形態３に係る施設検索装置の動作は、施設検索部１３が、施設情報記憶部１１および外部の情報源３１の双方からＰＯＩを検索することを除けば、図７のフローチャートに示した実施の形態１に係る施設検索装置の施設検索処理と同じである。
【００５４】
以上説明したように、この発明の実施の形態３に係る施設検索装置によれば、外部の情報源、例えば車内に持ち込んだ携帯電話などの端末機器に記憶されている施設情報またはインターネット上の情報収集サイトを構成するサーバに記憶されている施設情報などを施設検索に利用することができる。
【００５５】
実施の形態４．
この発明の実施の形態４に係る施設検索装置は、ＰＯＩと追加ＰＯＩとを１つの情報記憶部に記憶するようにしたものである。
【００５６】
図１２は、実施の形態４に係る施設検索装置の構成を示すブロック図である。この施設検索装置は、図１に示した実施の形態１に係る施設検索装置の施設情報記憶部１１と追加情報記憶部１２とが共通化されて１つの情報記憶部４１で構成されている。情報記憶部４１には、実施の形態１に係る施設検索装置の施設情報記憶部１１に記憶されている施設情報と追加施設情報に記憶されている追加の施設情報が記憶されている。
【００５７】
この実施の形態４に係る施設検索装置の動作は、施設検索部１３が、情報記憶部４１からＰＯＩを検索することを除けば、図７のフローチャートに示した実施の形態１に係る施設検索装置の施設検索処理と同じである。
【００５８】
以上説明したように、この発明の実施の形態４に係る施設検索装置によれば、単一の情報記憶部に、本来同一である施設の施設情報が重複して記憶されている場合であっても、同一施設が重複して表示されることを防ぐことができる。
【００５９】
また、施設情報と追加の施設情報とを単一の情報記憶部にまとめて記憶するように構成したので、情報記憶部の構造は複雑になるが、記憶領域のサイズを小さくすることが可能である。
【００６０】
実施の形態５．
この発明の実施の形態５に係る施設検索装置は、施設の同一性の判定結果および施設情報の合成結果を記憶しておき、後の処理で利用するようにしたものである。
【００６１】
図１３は、実施の形態５に係る施設検索装置の構成を示すブロック図である。この施設検索装置は、図１に示した実施の形態１に係る施設検索装置に、合成結果記憶部５１が追加されて構成されている。合成結果記憶部５１には、同一性判定部１４における判定結果および施設情報合成部１５における合成結果が記憶される。
【００６２】
同一性判定部１４は、再度同じ検索がなされた場合に、施設検索部１３で検索された複数の施設の同一性の判定のために合成結果記憶部５１に記憶されている判定結果を使用し、施設情報合成部１５は、同一性判定部１４により同一と判定された施設の施設情報を合成するために合成結果記憶部５１に記憶されている合成結果を使用する。
【００６３】
以上説明したように、この発明の実施の形態５に係る施設検索装置によれば、過去の検索における同一性判定部の判定結果および／または施設情報合成部の合成結果を使用することにより、処理に必要な時間を短縮することができる。
【産業上の利用可能性】
【００６４】
この発明は、施設検索機能を備えたカーナビゲーションシステム、携帯電話、ＰＤＡ（Personal Digital Assistant）またはパーソナルコンピュータなどに利用できる。
【図１】
2011013177.tif 000003
【図２】
2011013177.tif 000004
【図３】
2011013177.tif 000005
【図４】
2011013177.tif 000006
【図５】
2011013177.tif 000007
【図６】
2011013177.tif 000008
【図７】
2011013177.tif 000009
【図８】
2011013177.tif 000010
【図９】
2011013177.tif 000011
【図１０】
2011013177.tif 000012
【図１１】
2011013177.tif 000013
【図１２】
2011013177.tif 000014
【図１３】
2011013177.tif 000015
【国際調査報告】
2011013177.tif 000016
2011013177.tif 000017
2011013177.tif 000018
2011013177.tif 000019